【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
情報処理装置と画像形成装置とがネットワークを介して接続される遠隔指示システムであって、
前記情報処理装置は、
前記情報処理装置に対する指示を入力するための操作画面を表示するための表示用データを記憶する記憶手段と、
外部装置からの要求に応じて、前記記憶手段に記憶された前記表示用データを、当該外部装置に送信する表示用データ送信手段と、
前記外部装置において前記表示用データに基づいて表示された操作画面を用いてユーザが入力した指示の内容を示す指示情報を、当該外部装置から受信する指示情報受信手段と、
前記指示情報受信手段が受信した前記指示情報に基づいて、前記情報処理装置の動作を制御する制御手段と、を備え、
前記画像形成装置は、
前記情報処理装置から前記表示用データを受信する表示用データ受信手段と、
前記表示用データ受信手段が受信した前記表示用データを解析する解析手段と、
前記解析手段による解析の結果に従って、前記情報処理装置に対する指示を記入するための第１の指示用紙を印刷する印刷手段と、
前記印刷手段により印刷された前記第１の指示用紙に対してユーザからの指示が記入された第２の指示用紙を読み取る読取手段と、
前記読取手段が読み取った前記第２の指示用紙から認識された前記ユーザからの指示の内容を示す指示情報を、前記情報処理装置に送信する指示情報送信手段と、
を備えることを特徴とする遠隔指示システム。
【請求項２】
ネットワークを介して情報処理装置と接続される画像形成装置であって、
前記情報処理装置に対する指示を入力するための操作画面を表示するための表示用データを取得する取得手段と、
前記取得手段が取得した前記表示用データを解析する解析手段と、
前記解析手段による解析の結果に従って、前記情報処理装置に対する指示を記入するための第１の指示用紙を印刷する印刷手段と、
前記印刷手段により印刷された前記第１の指示用紙に対してユーザからの指示が記入された第２の指示用紙を読み取る読取手段と、
前記読取手段が読み取った前記第２の指示用紙から認識された前記ユーザからの指示の内容を示す指示情報を、前記情報処理装置に送信する送信手段と、
を備えることを特徴とする画像形成装置。
【請求項３】
前記表示用データは、ＨＴＭＬ形式のファイルであることを特徴とする請求項２に記載の画像形成装置。
【請求項４】
前記情報処理装置に対して前記表示用データを要求する要求手段を更に備え、
前記取得手段は、前記要求手段による要求に応じて前記情報処理装置から送信された前記表示用データを受信して取得することを特徴とする請求項２または３に記載の画像形成装置。
【請求項５】
前記表示用データを用いて表示される前記操作画面において指示することが可能な項目の中に、複数の選択肢の中からいずれかを選択すべき項目が存在する場合に、前記印刷手段は、前記複数の選択肢のそれぞれが一覧リスト形式で記載された前記第１の指示用紙を印刷することを特徴とする請求項２から４のいずれか１項に記載の画像形成装置。
【請求項６】
前記印刷手段は、前記複数の選択肢のそれぞれに対応する複数のチェックボックスが記載された前記第１の指示用紙を印刷し、前記送信手段は、前記複数のチェックボックスのうち前記ユーザにより選択されたチェックボックスに対応する選択肢を示す情報を、前記指示情報として送信することを特徴とする請求項５に記載の画像形成装置。
【請求項７】
前記取得手段が取得した前記表示用データを用いて前記操作画面を表示する表示手段を更に備え、
前記印刷手段は、前記表示手段が前記操作画面を表示した状態で前記ユーザからの印刷指示があった場合に、前記第１の指示用紙を印刷することを特徴とする請求項２から６のいずれか１項に記載の画像形成装置。
【請求項８】
前記表示手段は、前記読取手段が前記第２の指示用紙を読み取った後で、当該第２の指示用紙に記入された前記ユーザからの指示を反映させた前記操作画面を表示することを特徴とする請求項７に記載の画像形成装置。
【請求項９】
前記操作画面を前記表示手段により表示されているレイアウトで印刷する第１の印刷モードと、前記操作画面を前記第１の指示用紙として印刷する第２の印刷モードのいずれかを選択する選択手段を更に備え、
前記選択手段により前記第２の印刷モードによる印刷が選択された場合に、前記印刷手段は前記第１の指示用紙を印刷することを特徴とする請求項２から８のいずれか１項に記載の画像形成装置。
【請求項１０】
ネットワークを介してサーバ装置と接続される画像形成装置であって、
前記画像形成装置に対する指示を入力するための操作画面を表示するための表示用データを、前記サーバ装置に対して要求する要求手段と、
前記要求手段による要求に応じて前記外部装置から送られてきた前記表示用データに基づいて、前記操作画面を表示する表示手段と、
前記外部装置から送られてきた前記表示用データを解析する解析手段と、
前記解析手段による解析の結果に従って、前記画像形成装置に対する指示を記入するための第１の指示用紙を印刷する印刷手段と、
前記印刷手段により印刷された前記第１の指示用紙に対してユーザからの指示が記入された第２の指示用紙を読み取る読取手段と、
前記表示手段により表示された操作画面においてユーザが指示した内容、または前記読取手段が読み取った前記第２の指示用紙から認識された前記ユーザからの指示を示す情報に従って、前記画像形成装置の動作を制御する制御手段と、
を備えることを特徴とする画像形成装置。
【請求項１１】
前記サーバ装置とは、前記表示用データをＨＴＭＬ形式で記憶するＷｅｂサーバ装置であることを特徴とする請求項１０に記載の画像形成装置。
【請求項１２】
ネットワークを介してＷｅｂサーバ装置と接続される画像形成装置であって、
前記Ｗｅｂサーバ装置に対して、当該Ｗｅｂサーバ装置が記憶しているＨＴＭＬファイルを要求する要求手段と、
前記要求手段による要求に応じて前記Ｗｅｂサーバ装置から送信されてきた前記ＨＴＭＬファイルを受信する受信手段と、
前記受信手段が受信した前記ＨＴＭＬファイルを解析する解析手段と、
前記解析手段による解析の結果に従って、ユーザからの指示を記入するための第１の指示用紙を印刷する印刷手段と、
前記印刷手段により印刷された前記第１の指示用紙に対して前記ユーザからの指示が記入された第２の指示用紙を読み取る読取手段と、
前記読取手段が読み取った前記第２の指示用紙から認識された前記ユーザからの指示を示す情報を、前記Ｗｅｂサーバに対して送信する送信手段と、
を備えることを特徴とする画像形成装置。
【請求項１３】
ネットワークを介して情報処理装置と接続される画像形成装置の制御方法であって、
前記情報処理装置に対する指示を入力するための操作画面を表示するための表示用データを取得する取得工程と、
前記取得工程で取得した前記表示用データを解析する解析工程と、
前記解析工程における解析の結果に従って、前記情報処理装置に対する指示を記入するための第１の指示用紙を印刷する印刷工程と、
前記印刷工程で印刷された前記第１の指示用紙に対してユーザからの指示が記入された第２の指示用紙を読み取る読取工程と、
前記読取工程で読み取った前記第２の指示用紙から認識された前記ユーザからの指示の内容を示す指示情報を、前記情報処理装置に送信する送信工程と、
を備えることを特徴とする画像形成装置の制御方法。
【請求項１４】
ネットワークを介してサーバ装置と接続される画像形成装置の制御方法であって、
前記画像形成装置に対する指示を入力するための操作画面を表示するための表示用データを、前記サーバ装置に対して要求する要求工程と、
前記要求工程における要求に応じて前記外部装置から送られてきた前記表示用データに基づいて、前記操作画面を表示する表示工程と、
前記外部装置から送られてきた前記表示用データを解析する解析工程と、
前記解析工程における解析の結果に従って、前記画像形成装置に対する指示を記入するための第１の指示用紙を印刷する印刷工程と、
前記印刷工程で印刷された前記第１の指示用紙に対してユーザからの指示が記入された第２の指示用紙を読み取る読取工程と、
前記表示工程で表示された操作画面においてユーザが指示した内容、または前記読取工程で読み取った前記第２の指示用紙から認識された前記ユーザからの指示を示す情報に従って、前記画像形成装置の動作を制御する制御工程と、
を備えることを特徴とする画像形成装置の制御方法。
【請求項１５】
ネットワークを介してＷｅｂサーバ装置と接続される画像形成装置の制御方法であって、
前記Ｗｅｂサーバ装置に対して、当該Ｗｅｂサーバ装置が記憶しているＨＴＭＬファイルを要求する要求工程と、
前記要求工程における要求に応じて前記Ｗｅｂサーバ装置から送信されてきた前記ＨＴＭＬファイルを受信する受信工程と、
前記受信工程で受信した前記ＨＴＭＬファイルを解析する解析工程と、
前記解析工程における解析の結果に従って、ユーザからの指示を記入するための第１の指示用紙を印刷する印刷工程と、
前記印刷工程で印刷された前記第１の指示用紙に対して前記ユーザからの指示が記入された第２の指示用紙を読み取る読取工程と、
前記読取工程で読み取った前記第２の指示用紙から認識された前記ユーザからの指示を示す情報を、前記Ｗｅｂサーバに対して送信する送信工程と、
を備えることを特徴とする画像形成装置の制御方法。
【請求項１６】
請求項１３から１５のいずれか１項に記載の制御方法をコンピュータに実行させるためのプログラム。
【手続補正２】
【補正対象書類名】明細書
【補正対象項目名】発明の名称
【補正方法】変更
【補正の内容】
【発明の名称】遠隔指示システム、画像形成装置、画像形成装置の制御方法、及びプログラム
【手続補正３】
【補正対象書類名】明細書
【補正対象項目名】００１３
【補正方法】変更
【補正の内容】
【００１３】
上記の目的を達成するための本発明の遠隔指示システムは、情報処理装置と画像形成装置とがネットワークを介して接続される遠隔指示システムであって、前記情報処理装置は、前記情報処理装置に対する指示を入力するための操作画面を表示するための表示用データを記憶する記憶手段と、外部装置からの要求に応じて、前記記憶手段に記憶された前記表示用データを、当該外部装置に送信する表示用データ送信手段と、前記外部装置において前記表示用データに基づいて表示された操作画面を用いてユーザが入力した指示の内容を示す指示情報を、当該外部装置から受信する指示情報受信手段と、前記指示情報受信手段が受信した前記指示情報に基づいて、前記情報処理装置の動作を制御する制御手段と、を備え、前記画像形成装置は、前記情報処理装置から前記表示用データを受信する表示用データ受信手段と、前記表示用データ受信手段が受信した前記表示用データを解析する解析手段と、前記解析手段による解析の結果に従って、前記情報処理装置に対する指示を記入するための第１の指示用紙を印刷する印刷手段と、前記印刷手段により印刷された前記第１の指示用紙に対してユーザからの指示が記入された第２の指示用紙を読み取る読取手段と、前記読取手段が読み取った前記第２の指示用紙から認識された前記ユーザからの指示の内容を示す指示情報を、前記情報処理装置に送信する指示情報送信手段とを備えることを特徴とする。
【手続補正４】
【補正対象書類名】明細書
【補正対象項目名】００１４
【補正方法】変更
【補正の内容】
【００１４】
また、本発明の画像形成装置は、ネットワークを介して情報処理装置と接続される画像形成装置であって、前記情報処理装置に対する指示を入力するための操作画面を表示するための表示用データを取得する取得手段と、前記取得手段が取得した前記表示用データを解析する解析手段と、前記解析手段による解析の結果に従って、前記情報処理装置に対する指示を記入するための第１の指示用紙を印刷する印刷手段と、前記印刷手段により印刷された前記第１の指示用紙に対してユーザからの指示が記入された第２の指示用紙を読み取る読取手段と、前記読取手段が読み取った前記第２の指示用紙から認識された前記ユーザからの指示の内容を示す指示情報を、前記情報処理装置に送信する送信手段とを備えることを特徴とする。
【手続補正５】
【補正対象書類名】明細書
【補正対象項目名】００１５
【補正方法】変更
【補正の内容】
【００１５】
また、本発明の画像形成装置は、ネットワークを介してサーバ装置と接続される画像形成装置であって、前記画像形成装置に対する指示を入力するための操作画面を表示するための表示用データを、前記サーバ装置に対して要求する要求手段と、前記要求手段による要求に応じて前記外部装置から送られてきた前記表示用データに基づいて、前記操作画面を表示する表示手段と、前記外部装置から送られてきた前記表示用データを解析する解析手段と、前記解析手段による解析の結果に従って、前記画像形成装置に対する指示を記入するための第１の指示用紙を印刷する印刷手段と、前記印刷手段により印刷された前記第１の指示用紙に対してユーザからの指示が記入された第２の指示用紙を読み取る読取手段と、前記表示手段により表示された操作画面においてユーザが指示した内容、または前記読取手段が読み取った前記第２の指示用紙から認識された前記ユーザからの指示を示す情報に従って、前記画像形成装置の動作を制御する制御手段とを備えることを特徴とする。
【手続補正６】
【補正対象書類名】明細書
【補正対象項目名】００１６
【補正方法】変更
【補正の内容】
【００１６】
また、本発明の画像形成装置は、ネットワークを介してＷｅｂサーバ装置と接続される画像形成装置であって、前記Ｗｅｂサーバ装置に対して、当該Ｗｅｂサーバ装置が記憶しているＨＴＭＬファイルを要求する要求手段と、前記要求手段による要求に応じて前記Ｗｅｂサーバ装置から送信されてきた前記ＨＴＭＬファイルを受信する受信手段と、前記受信手段が受信した前記ＨＴＭＬファイルを解析する解析手段と、前記解析手段による解析の結果に従って、ユーザからの指示を記入するための第１の指示用紙を印刷する印刷手段と、前記印刷手段により印刷された前記第１の指示用紙に対して前記ユーザからの指示が記入された第２の指示用紙を読み取る読取手段と、前記読取手段が読み取った前記第２の指示用紙から認識された前記ユーザからの指示を示す情報を、前記Ｗｅｂサーバに対して送信する送信手段とを備えることを特徴とする。
【手続補正７】
【補正対象書類名】明細書
【補正対象項目名】００１７
【補正方法】変更
【補正の内容】
【００１７】
本発明によれば、ネットワークを介して接続された情報処理装置から提供される表示用データを解析してユーザの指示を記入するための指示用紙を印刷するので、ユーザは複雑な操作を必要とすることなく各種の指示を行うことが可能となる。